【事件の表示】
　特許第２８４６９４３号「表示装置およびその製造方法」の請求項１乃至請求項８に係る発明の特許に対する特許異議の申立てについて、次のとおり決定する。
【結　論】
　訂正を認める。
　特許第２８４６９４３号の請求項１乃至請求項８に係る発明の特許を維持する。
【理　由】
（１）手続きの経緯
  本件特許第２８４６９４３号に係る出願は、平成２年１１月１４日に出願され、平成１０年１０月３０日にその設定登録がなされ、その後、シャープ株式会社より特許異議の申立てがなされ、取消理由通知がなされ、その指定期間内である平成１１年１２月２１日に訂正請求がなされたものである。
（２）訂正請求の適否についての判断
ｉ）訂正請求の内容
　訂正請求の内容は、特許請求の範囲の請求項１、
「屈折率の異なる複数の膜を積属した多層膜であって、かつ少なくともその中の一つの膜が屈折率の可変な膜である干渉フィルターを用いた表示素子を具備し、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。」
を
「屈折率の異なる複数の膜を積属した多層膜であって、かつ少なくともその中の一つの膜が屈折率の可変な膜である干渉フィルターを用いた表示素子を複数具備し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。」
と訂正するものである。
ii）訂正の目的の適否、新規事項の有無及び拡張・変更の存否
　上記訂正は、特許請求の範囲の請求項１において、「干渉フィルターを用いた表示素子を複数具備」すること、及び、「各表示素子の干渉フィルターの反射率が高い色を赤色、緑色、青色と」することをそれぞれ限定するものであり、特許請求の範囲の減縮を目的とするものであり、新規事項の追加には該当せず、実質的に特許請求の範囲を拡張・変更するものではない。
　
iii）独立特許要件の検討
　訂正後の請求項１に係る発明（以下、訂正発明という。）の独立特許要件について検討する。
　
（訂正発明）
　訂正発明は、上記（２）ｉ）に記載したとおりのものである。
　
（引用例）
　これに対して、取消理由通知に引用した、本件出願前公知である、米国特許第４、７８６、１２８号明細書（以下、引用例という。）には、
「光の変調や反射についての多層膜デバイスである。予め決められた屈折率を持つ２以上の膜の聞にサンドイッチされた屈折率可変の電気光学膜により形成されたデバイスである。」（アブストラクト）、
「まず図３を参照すると、本発明の第１の実施形態の基本構造の代表側面図がある。説明のため，この発明は、先行例の誘電体積層体と同様のＬ１，Ｌ２，Ｌ３からなる３層で構成されたもので説明されており、これらは、図３ではそれぞれ番号８、１０、そして１２であらわされている。実際、本発明は潜在的な反射率を増加させるために、好ましくは９から１１層からなっている。誘電体積層体のように、本発明において奇数番目の層、Ｌ１層とＬ３層は高い屈折率材料で作製される。一方、Ｌ２層はＢＳＯやＬｉＮｂＯ３、ＫＤＰ等の可変屈折率の電気光学材料で構成される。図３に示すように、一対の電極１４、１６は、Ｌ２層の両端で、かつ逆の面側に各々、形成され、その上へ電界を印加する導線１８、２０が形成される。」（明細書第３欄第６５行〜第４欄第１１行）、
「以後の議論では，層Ｌ１とＬ３は高屈折率材料で形成されているものと仮定されている。電位（差）が電極聞に与えられていないとき、層Ｌ２は小さな屈折率を有している。そうして生じるＨｉｇｈ／Ｌｏｗ／Ｈｉｇｈの層Ｌ１、Ｌ２そしてＬ３の間の境界はこの発明を鏡として作用させる。電位（差）が電極１４，１６間に与えられているときは、一方、層Ｌ２は低屈折率から高屈折率へと変化し、層Ｌ１，Ｌ２そしてＬ３の３属すべてが高屈折率となり、この発明は窓として作用する。明らかに，逆の状況も可能である、つまり、層Ｌ２は高屈折率の緩和状態を持ち得て、その結果として電気光学層に電位（差）を与えた場合に鏡から窓というより、窓から鏡への変化となる。」（明細書第５欄第４行〜第１９行）と記載されており、
　引用例には、
「３層の誘電体積層体からなり、１層と３層は高い屈折率材料、２層は可変屈折率の電気光学材料で構成され、その両端には一対の電極が形成され、電位が電極聞に与えられていないとき、２層は小さな屈折率を有して３層との間の境界は鏡として作用し、電位が与えられているときは、２層は高屈折率へと変化し、窓として作用する、光の変調や反射についての多層膜デバイス。」の発明が記載されている。
（対比・判断）
　訂正発明と引用例に記載された発明とを対比すると、引用発明は、訂正発明の構成要件である、「一つの膜が屈折率の可変な膜である干渉フィルターを用いた表示素子を複数具備し、干渉フィルターの反射率が高い色を赤色、緑色、青色とし」た点を具備していないし、また、引用例には上記構成要件の示唆もない。
　そして、訂正発明は、上記構成要件を具備することにより、軽薄化、携帯化が容易で、偏光板が不要でかつ光の利用効率が高い高輝度の反射型カラー表示装置を実現できるという作用効果を奏するものである。
　よって、訂正発明は、引用発明に基づいて、当業者が容易に発明をすることができたものではない。
　したがって、訂正発明は、特許出願の際、独立して特許を受けることができるものである。
iv）結論
　以上のとおりであるから、本件訂正請求は、特許法第１２０条の４第２項及び同条第３項で準用する第１２６条第２項乃至第４項の規定に適合するので、当該訂正を認める。
（３）特許異議申立について
（本件発明）
　本件特許第２８４６９４３号の請求項１乃至請求項８に係る発明は、訂正された特許明細書及び図面の記載からみて、その特許請求の範囲の請求項１乃至請求項８に記載された、次のとおりのものである。
「【請求項１】屈折率の異なる複数の膜を積属した多層膜であって、かつ少なくともその中の一つの膜が屈折率の可変な膜である干渉フィルターを用いた表示素子を複数具備し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。
【請求項２】屈折率の異なる複数の膜を積層した多層膜であって、かつ少なくともその中の一つの膜が屈折率の可変な膜である干渉フィルターを用いた表示素子を黒あるいは灰色の膜上に複数設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。
【請求項３】屈折率の異なる複数の膜を積層した多層膜であって、かつ少なくともその中の一つの膜が屈折率の可変な膜である干渉フィルターを用いた表示素子を黒あるいは灰色の膜上に複数積層して設置し、上記各表示素子の干渉フィルターの反射率を高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。
【請求項４】上記屈折率が可変な膜として液晶を用いたことを特徴とする請求項第１項、第２項または第３項記載の表示装置。
【請求項５】上記屈折率が可変な膜として強誘電体を用いたことを特徴とする請求項第１項、第２項または第３項記載の表示装置。
【請求項６】基板上に導電膜を形成し、上記導電膜を有する上記基板上に第１の透明な膜を形成し、上記第１の透明な膜上に高分子強誘電性液晶を形成し、上記高分子強誘電性液晶上に第２の透明な膜を形成し、上記第２の透明な膜上に透明導電膜を形成することを特徴とする表示装置の製造方法。
【請求項７】基板上に導電膜を形成し、上記導電膜を有する上記基板上に第１の透明な膜を形成し、上記第１の透明な膜上にスペーサ膜を形成し、上記スペーサ膜上に第２の透明な膜のパタンを形成し、上記第２の透明な膜上に透明導電膜のパタンを形成し、上記スペーサ膜をオーバエッチングし、上記基板を屈折率が電界によって可変で透明な物質中に浸し、透明基板で上記屈折率が電界によって可変で透明な物質を封止することを特徴とする表示装置の製造方法。
【請求項８】基板上に導電膜を形成し、上記導電膜を有する上記基板上に次に形成する多層膜全体の厚さよりも厚いリフトオフ膜のパタンを形成し、上記導電膜上に第１の透明な膜を形成し、上記第１の透明な膜上にスペーサ膜を形成し、上記スペーサ膜上に第２の透明な膜を形成し、上記第２の透明な膜上に透明導電膜を形成し、上記リフトオフ膜をエッチングし、上記スペーサ膜をオーバエッチングし、上記基板を屈折率が電界によって可変で透明な物質中に浸し、透明基板で上記屈折率が電界によって可変で透明な物質を封止することを特徴とする表示装置の製造方法。」
（特許異議申立人の主張の概要）
  これに対して、特許異議申立人シャープ株式会社は、甲第１号証として米国特許第４、７８６、１２８号明細書、甲第２号証として「波動光学」（久保田広著、岩波書店１９８４年４月３日第６版発行）、甲第３号証として特開昭６０−１４７７２０号公報、甲第４号証として、OPTICAL ENGINEERING(May/June1984/vo1.23 No.3 P.247-252)、及び甲第５号証としてSID 90 DIGEST（May,1990 p.217-219）を提示して、本件請求項１乃至請求項８に係る発明は、甲第１号証乃至甲第５号証に基づいて、特許法第２９条第１項第３号または、特許法第２９条第２項の規定により特許を受けることができないものである、旨主張している。
（甲各号証に記載の発明）
　特許異議申立人の提示した甲第１号証は、取消理由通知に引用した引用例であるから、上記（２）iii）（引用例）に示した発明が記載されている。
　同じく甲第２号証には、光学的薄膜の基本的な原理が解説されており、第２００頁の図１４−１（Ａ）、（Ｂ）及び該図の説明には、
「この値は図１４−１（Ｂ）に示すように、ｎがｎ。とｎｇの中間にあればいつも膜のない時の値
　　　　　　Ｒ０２＝（ｎ０−ｎｇ／ｎ０＋ｎｇ）２
より小さく、そのほかの場合は必ずＲ０２より大きい。すなわち、この膜はｎ。＜ｎ＜ｎｇのときは反射を減少させ、その他のときは反射を増加させるように働いている。」と記載されている。
　同じく甲第３号証には、
「透明状態と散乱状態とにより表示を行う表示体層と、その背後に設けた選択反射フィルタと、さらにその背後に設けた光吸収層とを含むカラー表示装置。」（特許請求の範囲第１項）、
「第１図において、表示装置１は散乱モードを用いた液晶パネル、たとえば動的散乱モード（ＤＳＭ）またはフェイズチェンジモード（ＦＣＭ）などのほか、強誘電体表示パネルであってもよく、要するに散乱モードと透明モードを制御できればよい。この表示体層１には必要な表示セグメントパターンが形成される。この表示体層１の背後に選択反射フィルタ２が設けられる。この選択反射フィルタ２は可視光の特定波長の光を選択反射し、他の光を透過するもので、具体的にはダイクロックミラーなどの多層膜干渉フィルタが知られている。上記選択反射フィルタ２のさらに背後に光吸収層３が設けられる。この光吸収層３は黒色の紙などでよい。入射光は、表示体層１が透過モードの部分Ａでは表示体層を通過し、選択反射フィルタ２で特定波長の光、たとえば青色が反射されるが斜め下方に向けて反射されるので、観察者にとってはこの部分は黒く見える。一方表示体層１が散乱モードの部分Ｂでは入射光は散乱して透過し選択反射フィルタ２で青色が反射され、再び表示体層１を通って散乱されて出てくる。選択反射フィルタ層２を透過した光は光吸収層３で吸収されるから、結局この部分Ｂは青色に見える。したがって表示としては黒地に青色表示または青地に黒色表示ができることになる。」（公報第１頁右欄第６行〜第２頁左上欄第１０行）、
「透明基板６上に上記液晶表示素子９と対応して反射・透過波長の異なる３種類の選択反射フィルタ１１Ｃ，１１Ｍ，１１Ｙが交互に設けられている。この実施例では選択反射フィルタ１１Ｃ，１１Ｍ，１１Ｙは透過光がそれぞれ赤、緑、青で、反射光がそれぞれシアン（Ｃ）、マゼンタ（Ｍ）、イエロー（Ｙ）である。・・・３個の選択反射フィルタ１１Ｃ，１１Ｍ，１１Ｙで、一画素１２をなし一両素として一定の色に見える。上記透明電極基板６の背面に光吸収層１３が配置される。・・・選択反射フィルタ１１Ｃ、１１Ｍ、１１Ｙを透過した赤、緑、青の光は光吸収層１３で吸収されてしまう。結局この画素は黒く見える。」（公報第２頁右上欄第７行〜左下欄第８行）と記載されている。
　同じく甲第４号証は、多色カラー液晶表示装置に関する文献であり、
第２４８頁のＦｉｇ．３．には、シアン、マゼンタ、イエローの色素を混入した多層型ゲストホスト液晶セル構造が開示され、第２５０頁のＦｉｇ．１０．には、赤、緑、青色のダイクロイックフィルターを３層積層したフルカラーディスプレイが開示されている。
　同じく甲第５号証は、カラー液晶表示装置に関する文献であり、
第２１８頁のＦｉｇ．６には、赤、緑、青色を呈する層を３層積層した表示装置が開示されている。
ｉ）請求項１に係る発明について
　本件の請求項１に係る発明と甲各号証に記載された発明とを対比すると、甲各号証には、本件の請求項１に係る発明の構成要件である、「一つの膜が屈折率の可変な膜である干渉フィルターを用いた表示素子を複数具備し、干渉フィルターの反射率が高い色を赤色、緑色、青色とし」た点が記載されていないし、示唆されてもいない。
　そして、本件の請求項１に係る発明は、上記構成要件を具備することにより、軽薄化、携帯化が容易で、偏光板が不要でかつ光の利用効率が高い高輝度の反射型カラー表示装置を実現できるという作用効果を奏するものである。
　よって、本件の請求項１に係る発明は、甲各号証に記載された発明に基づいて、当業者が容易に発明をすることができたものではない。
　
　これに関し、特許異議申立人は、甲第３号証には「干渉フィルターを用いた表示素子を複数具備し、干渉フィルターの反射率が高い色を赤色、緑色、青色とし」た構成要件が記載されている旨、主張しているが、甲第３号証に記載されているのは、「透明状態と散乱状態とにより表示を行う表示体層と、その背後に設けた選択反射フィルタと、さらにその背後に設けた光吸収層とを含むカラー表示装置」であり、表示体層が透過モードか散乱モードかにより、その部分が黒か反射光の色（シアン、マゼンタ、イエローの単色、シアン、マゼンタ、イエローの２つが混ざった青系色、緑系色、赤系色の色またはシアン、マゼンタ、イエローの３つが混ざった白色）として表示されるものであって、本件発明のごとく、屈折率可変な膜に印加する電圧を連続的に制御することにより、反射率を連続的に制御し、種々の色を加法混色の原理に従い実現できるものではない。
　そして、甲第１号証に記載された発明と甲第３号証に記載された発明とでは、その動作原理が全く異なるから、両発明を組み合わせることが当業者に容易ということはできず、また、両者を組み合わせても、本件の請求項１に係る発明の構成要件とすることは容易ではない。
　以上のとおりであるから、特許異議申立人の主張は採用できない。
ii）請求項２に係る発明について
　本件の請求項２に係る発明は、本件の請求項１に係る発明に、「表示素子を黒あるいは灰色の膜上に」設置するという構成要件を付加したものであるから、本件の請求項１に係る発明と同様に、甲各号証に記載された発明に基づいて、当業者が容易に発明をすることができたものではない。
iii）請求項３に係る発明について
　本件の請求項３に係る発明は、本件の請求項２に係る発明の、「複数設置し」という構成要件を、「複数積層して設置し」と限定したものであるから、本件の請求項２に係る発明と同様に、甲各号証に記載された発明に基づいて、当業者が容易に発明をすることができたものではない。　
iv）請求項４及び請求項５に係る発明について
　本件の請求項４及び請求項５に係る発明は、本件の請求項１乃至請求項３に係る発明の、「屈折率可変な膜」を「液晶」及び「強誘電体」と各々限定したものであるから、本件の請求項１乃至請求項３に係る発明と同様に、甲各号証に記載された発明に基づいて、当業者が容易に発明をすることができたものではない。　
ｖ）請求項６乃至請求項８に係る発明について
　本件の請求項６乃至請求項８に係る発明について、特許異議申立人は、従来より行われている液晶表示装置の製造方法と何ら変わりがないので、新規の技術を開示するものでなく、甲第１号証乃至甲第５号証に記載された発明内容に基づいて容易に想到しうる旨、主張している。
　しかしながら、請求項６に係る発明では、基板上に、導電膜、透明な膜、高分子強誘電性液晶、透明な膜、透明導電膜を形成するものであり、請求項７及び請求項８に係る発明では、基板上に、導電膜、透明な膜、屈折率が電界によって可変で透明な物質、透明な膜、透明導電膜を形成するものであって、請求項６乃至請求項８に係る発明は、導電膜及び透明導電膜と屈折率が電界によって可変で透明な物質（高分子強誘電性液晶）の間に、各々透明な膜が介在している点で、通常の液晶表示装置の構造とは異なるものであり、それ故、製造方法も、通常の液晶表示装置の製造方法とは異なる。
　よって、特許異議申立人の主張は採用することができず、本件の請求項６乃至請求項８に係る発明は、甲第１号証乃至甲第５号証に記載された発明に基づいて、当業者が容易に発明をすることができたものと認めることはできない。
　
（むすび）
  以上のとおりであるから、特許異議の申立ての理由及び証拠によっては、本件の請求項１乃至請求項８に係る発明の特許を取り消すことはできない。
　また、他に本件の請求項１乃至請求項８に係る発明の特許を取り消すべき理由を発見しない。
　よって、結論のとおり決定する。
【異議決定日】
平成１２年１月２８日（２０００．１．２８）
【訂正の要旨】
訂正事項
　特許請求の範囲の減縮を目的として、特許請求の範囲第１項、
「屈折率の異なる複数の膜を積属した多層膜であって、かつ少なくともその中の一つの膜が屈折率の可変な膜である干渉フィルターを用いた表示素子を具備し、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。」
を
「屈折率の異なる複数の膜を積属した多層膜であって、かつ少なくともその中の一つの膜が屈折率の可変な膜である干渉フィルターを用いた表示素子を複数具備し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。」
と訂正する。
（５４）【発明の名称】
　表示装置およびその製造方法
（５７）【特許請求の範囲】
　１．屈折率の異なる複数の膜を積層した多層膜であって、かつ少なくともその中の一つの膜が屈折率の可変な膜である干渉フィルターを用いた表示素子を
複数具備し、上記各表示素子の干渉フィルターの反射一が高い色を赤色、緑色、青色とし、
　２．屈折率の異なる複数の膜を積層した多層膜であって、かつ少なくともその中の一つの膜が屈折率の可変な膜である干渉フィルターを用いた表示素子を黒あるいは灰色の膜上に複数設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。
　３．屈折率の異なる複数の膜を積層した多層膜であって、かつ少なくともその中の一つの膜が屈折率の可変な膜である干渉フィルターを用いた表示素子を黒あるいは灰色の膜上に複数積層して設置し、上記各表示素子の干渉フィルターの反射率を高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３としたことを特徴とする表示装置。
　４．上記屈折率が可変な膜として液晶を用いたことを特徴とする請求項第１項、第２項または第３項記載の表示装置。
　５．上記屈折率が可変な膜として強誘電体を用いたことを特徴とする請求項第１項、第２項または第３項記載の表示装置。
　６．基板上に導電膜を形成し、上記導電膜を有する上記基板上に第１の透明な膜を形成し、上記第１の透明な膜上に高分子強誘電性液晶を形成し、上記高分子強誘電性液晶上に第２の透明な膜を形成し、上記第２の透明な膜上に透明導電膜を形成することを特徴とする表示装置の製造方法。
　７．基板上に導電膜を形成し、上記導電膜を有する上記基板上に第１の透明な膜を形成し、上記第１の透明な膜上にスペーサ膜を形成し、上記スペーサ膜上に第２の透明な膜のパタンを形成し、上記第２の透明な膜上に透明導電膜のパタンを形成し、上記スペーサ膜をオーバエッチングし、上記基板を屈折率が電界によって可変で透明な物質中に浸し、透明基板で上記屈折率が電界によって可変で透明な物質を封止することを特徴とする表示装置の製造方法。
　８．基板上に導電膜を形成し、上記導電膜を有する上記基板上に次に形成する多層膜全体の厚さよりも厚いリフトオフ膜のパタンを形成し、上記導電膜上に第１の透明な膜を形成し、上記第１の透明な膜上にスペーサ膜を形成し、上記スペーサ膜上に第２の透明な膜を形成し、上記第２の透明な膜上に透明導電膜を形成し、上記リフトオフ膜をエッチングし、上記スペーサ膜をオーバエッチングし、上記基板を屈折率が電界によって可変で透明な物質中に浸し、透明基板で上記屈折率が電界によって可変で透明な物質を封止することを特徴とする表示装置の製造方法。
【発明の詳細な説明】
〔産業上の利用分野〕
　本発明は表示装置およびその製造方法に関するものである。
〔従来の技術〕
　第８図は従来の透過型表示装置の一例を示す図である。この装置では、バックライト１０２によって白色光を供給し、ＴＮ型あるいはＳＴＮ型液晶１０１の両側に偏光板１０３を配する構造を光シャッターとして用い、出てきた白色光をカラーフィルター１０４によって着色して、表示動作を行なう。
　第９図は従来の反射型表示装置の一例である。この装置では、ＴＮ型あるいはＳＴＮ型液晶２０１の両側に偏光板２０３を配する構造を光シャッターとして用い、出てきた白色光をカラーフィルター２０４によって着色することは、第８図の場合と同様であるが、バックライトの代わりに反射板２０２を配して反射光のみを利用して表示動作を行なう。
　第１０図は高分子分散型液晶を用いた従来の反射型カラー表示装置の一例を示す。この装置では、分散質である液晶３０１と分散媒である高分子３０２の混合物である高分子分散型液晶にさらに染料３０３を加え、その後方にカラー膜３０４を例えばモザイク状に配し、カラー膜３０４の後方に反射板３０５を配している。
　この従来の高分子分散型液晶を用いた反射型表示装置においては、第１０図（ａ）に示す散乱モード（電圧をかけない状態）では、液晶３０１と高分子３０２との屈折率の差により散乱した光が高分子３０２内あるいは液晶３０１内に含有させた染料３０３に吸収されるから、黒色が表示され、また第１０図（ｂ）に示す透過モード（電圧をかけた状態）においては、後方にあるカラー膜３０４の色が発現される。
〔発明が解決しようとする課題〕
　しかし、第８図に示した透過型表示装置では、バックライト１０２の体積が大きく、かっこの部分の消費電力が大きいため、軽薄化、携帯化を行なうことが困難であった。
　また、第９図に示した反射型表示装置では、反射光のみを利用するから、光量が少ないため、透過型表示装置の場合に比べて光シャッターの光利用効率を大きく上げる必要があるが、ＴＮ型あるいはＳＴＮ型液晶２０１を単純に用いただけでは、本質的に必要な編光板２０３の存在により反射光の利用効率が少なくとも半分以下に下がり、高輝度化が困難であった。
　さらに、第１０図に示した高分子分散型液晶を用いた反射型カラー表示装置では、透過モードにおいても、染料３０３により光が吸収されるため、輝度が下がる欠点があった。
　本発明は上述の課題を解決するためになされたもので、軽薄化、携帯化を図ることが容易で、かつ高輝度化が容易な表示装置およびその製造方法を提供することを目的とする。
〔課題を解決するための手段〕
　この目的を達成するため、本発明においては、屈折率の異なる複数の膜を積層した多層膜であって、かつ少なくともその中の一つの膜が屈折率の可変な膜である干渉フィルターを用いた表示素子を設け、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３とする。
　また、屈折率の異なる複数の膜を積層した多層膜であって、かつ少なくともその中の一つの膜が屈折率の可変な膜である干渉フィルターを用いた表示素子を黒あるいは灰色の膜上に複数設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３とする。
　さらに、屈折率の異なる複数の膜を積層した多層膜であって、かつ少なくともその中の一つの膜が屈折率の可変な膜である干渉フィルターを用いた表示素子を黒あるいは灰色の膜上に複数積層して設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３とする。
　これらの場合、上記屈折率が可変な膜として液晶を用いる。
　さらに、上記屈折率が可変な膜として強誘電体を用いる。
　上記のような表示装置を製造する場合に、基板上に導電膜を形成し、上記導電膜を有する上記基板上に第１の透明な膜を形成し、上記第１の透明な膜上に高分子強誘電性液晶を形成し、上記高分子強誘電性液晶上に第２の透明な膜を形成し、上記第２の透明な膜上に透明導電膜を形成する。
　また、基板上に導電膜を形成し、上記導電膜を有する上記基板上に第１の透明な膜を形成し、上記第１の透明な膜上にスペーサ膜を形成し、上記スペーサ膜上に第２の透明な膜のパタンを形成し、上記第２の透明な膜上に透明導電膜のパタンを形成し、上記スペーサ膜をオーバエッチングし、上記基板を屈折率が電界によって可変で透明な物質中に浸し、透明基板で上記屈折率が電界によって可変で透明な物質を封止する。
　さらに、基板上に導電膜を形成し、上記導電膜を有する上記基板上に次に形成する多層膜全体の厚さよりも厚いリフトオフ膜のパタンを形成し、上記導電膜上に第１の透明な膜を形成し、上記第１の透明な膜上にスペーサ膜を形成し、上記スペーサ膜上に第２の透明な膜を形成し、上記第２の透明な膜上に透明導電膜を形成し、上記リフトオフ膜をエッチングし、上記スペーサ膜をオーバエッチングし、上記基板を屈折率が電界によって可変で透明な物質中に浸し、透明基板で上記屈折率が電界によって可変で透明な物質を封止する。
〔作用〕
　この表示装置においては、バックライトを用いない。また、屈折率の異なる複数の膜を積層した多層膜であって、かつ少なくともその中の一つの膜が屈折率が可変な膜である干渉フィルター〔例えば、光学薄膜（藤原史郎編、共立出版、１９８６年）を参照〕を用いるから、屈折率の可変な膜の屈折率とこの膜と積層する膜の屈折率との屈折率差を変化させることができる。そして、屈折率差が大きい場合には、干渉フィルターの原理に従い、特定の波長帯域の光を反射し、かつそれ以外の波長帯域の光を透過する。一方、屈折率差が小さい場合には、屈折率差が大きい場合に比べ、特定の波長帯域の反射率が大幅に低下し、大部分の光を透過させることができる。したがって、特定の波長帯域の光の反射、透過を制御でき、かつそれ以外の波長帯域の光を常に透過する装置を構成できるから、偏光板が不要でかつ光の利用効率が高い。
　また、屈折率の異なる複数の膜を積層した多層膜であって、かつ少なくともその中の一つの膜が屈折率の可変な膜である干渉フィルターを用いた表示素子を黒あるいは灰色の膜上に複数設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３とし、または屈折率の異なる複数の膜を積層した多層膜であって、かつ少なくともその中の一つの膜が屈折率の可変な膜である干渉フィルターを用いた表示素子を黒あるいは灰色の膜上に複数積層して設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３とすれば、種々の色が加法混色の原理に従い実現できる。
　これらの場合、屈折率が可変な膜として液晶を用い、または屈折率が可変な膜として強誘電体を用いれば、より確実に特定の波長帯域の光の反射、透過を制御できる。
　また、表示装置の製造方法においては、容易に高輝度な表示装置を製造することができる。
〔実施例〕
　以下、本発明を図面に示す実施例に基づいて説明する。
（動作原理）
　第１図は本発明による反射型カラー表示装置の表示素子の動作原理を示す概略図である。本表示素子は、導電膜４０１上に屈折率ｎ３の透明な膜４０２を配し、膜４０２上に屈折率が電界によってｎ１からｎ２（ｎ１＜ｎ２、ｎ２≦ｎ３）まで可変な透明な膜４０３（例えば液晶（高分子強誘電性液晶を含む）あるいは強誘電体）を配し、屈折率が可変で透明な膜４０３上に屈折率ｎ３の透明な膜４０４を配し、透明な膜４０４上に透明導電膜４０５を配している。
　この表示素子においては、第１図（ａ）に示すように、導電膜４０１と透明導電膜４０５との間に加える電圧により、屈折率が可変で透明な膜４０３の屈折率をｎ１とすると、全体として屈折率がｎ３／ｎ１／ｎ３（ｎ１＜ｎ３）の膜の多層膜となり、よく知られた干渉フィルターの原理〔例えば、光学薄膜（藤原史郎編、共立出版、１９８６年）を参照〕に従い、特定の波長帯域の光を反射し、それ以外の光を透過する。また、第１図（ｂ）に示すように、導電膜４０１と透明導電膜４０５との間に加える電圧により屈折率が可変で透明な膜４０３の屈折率をｎ２とすると、全体として屈折率がｎ３／ｎ２／ｎ３（ｎ１＜ｎ２≦ｎ３）の膜の多層膜となり、多層膜中の各膜の屈折率差が第１図（ａ）の場合に比べて小さくなるため、特定の波長帯域における光の反射率は大幅に低下し、大部分の光を透過する。なお、ここでは、ｎ２≦ｎ３の場合を例として示したが、ｎ３≦ｎ１の場合でも同様な表示動作が可能なことは明らかである。さらに、ｎ１＜ｎ３＜ｎ２の場合であってもｎ３の値がｎ１あるいはｎ２の値に十分近ければ、やはり同様な表示動作が可能なことは明らかである。
　さらに、本発明によれば、導電膜４０１と透明導電膜４０５との間に加える電圧の大きさにより、屈折率が可変で透明な膜４０３の屈折率を連続的に制御できるため、表示素子の特定の波長帯域における反射率を連続的に制御できる。
　このように本発明によれば、透明導電膜４０５方向から見たとき、導電膜４０１と透明導電膜４０５との間に印加する電圧により、干渉反射色の発現の有無を制御できるため、以下の実施例１〜３で説明するような表示装置に用いることにより、高輝度な表示装置を実現できる。さらに、以下の実施例では、屈折率が可変な膜として液晶を用いた例について示すが、屈折率が可変な膜として強誘電体膜を用いた場合でも、同様な実施例が可能なことは明らかである。
（実施例１：装置）
　第２図は本発明による反射型カラー表示装置の一実施例を示す概略図である。本表示装置は絶縁基板５１９上に第１の表示素子５０６、第２の表示素子５１２および第３の表示素子５１８を例えばモザイク状に配してある。第１の表示素子５０６は、黒色の導電膜５０１（例えばＩＴＯ膜の裏面に黒色の顔料や染料を形成した後、表面を荒した金属膜あるいは炭素膜）上に、屈折率ｎ３の透明な膜５０２（例えばＳｉＯ２膜）を配し、透明な膜５０２上に屈折率が電界によってｎ１からｎ２（ｎ１＜ｎ２、ｎ≦２≦３）まで可変な透明な膜５０３（例えば液晶）を配し、透明な膜５０３上に屈折率ｎ３の透明な膜５０４（例えばＳｉＯ２膜）を配し、透明な膜５０４上に透明導電膜５０５（例えばＩＴＯ膜）を配している。第１の表示素子５０６における透明な膜５０２、透明な膜５０３、透明な膜５０４の膜厚は、屈折率が可変で透明な膜５０３の屈折率がｎ１の場合に赤色を反射するような干渉フィルターの条件に応じて定められている〔参照：光学薄膜（藤原史郎編、共立出版、１９８６年）〕。第２の表示素子５１２は、黒色の導電膜５０７（例えばＩＴＯ膜の裏面に黒色の顔料や染料を形成した膜、表面を荒した金属膜あるいは炭素膜）上に、屈折率ｎ３の透明な膜５０８（例えばＳｉＯ２膜）を配し、透明な膜５０８上に屈折率が電界によってｎ１からｎ２（ｎ１＜ｎ２、ｎ２≦ｎ３）まで可変な透明な膜５０９（例えば液晶）を配し、透明な膜５０９上に屈折率ｎ３の透明な膜５１０（例えばＳｉＯ２膜）を配し、透明な膜５１０上に透明導電膜５１１（例えばＩＴＯ膜）を配している。第２の表示素子５１２における透明な膜５０８、透明な膜５０９、透明な膜５１０の膜厚は、屈折率が可変で透明な膜５０９の屈折率がｎ１の場合に緑色を反射するような干渉フィルターの条件に応じて定められている〔参照：光学薄膜（藤原史郎編、共立出版、１９８６年）〕。第３の表示素子５１８は、黒色の導電膜５１３（例えばＩＴＯ膜の裏面に黒色の顔料や染料を形成した膜、表面を荒した金属膜あるいは炭素膜）上に、屈折率ｎ３の透明な膜５１４（例えばＳｉＯ２膜）を配し、透明な膜５１４上に屈折率が電界によってｎ１からｎ２（ｎ１＜ｎ２、ｎ２≦ｎ３）まで可変な透明な膜５１５（例えば液晶）を配し、透明な膜５１５上に屈折率ｎ３の透明な膜５１６（例えばＳｉＯ２膜）を配し、透明な膜５１６上に透明導電膜５１７（例えばＩＴＯ膜）を配している。第３の表示素子５１８における透明な膜５１４、透明な膜５１５、透明な膜５１６の膜厚は、屈折率が可変で透明な膜５１５の屈折率がｎ１の場合に青色を反射するような干渉フィルターの条件に応じて定められている〔参照：光学薄膜（藤原史郎編、共立出版、１９８６年）〕。
　この反射型カラー表示装置においては、第２図（ａ）に示すように、黒色の導電膜５０１、５０７、５１３と透明導電膜５０５、５１１、５１７との間の電圧を屈折率が可変で透明な膜５０３、５０９、５１５の屈折率がｎ１となるようにすれば、よく知られた干渉フィルターの原理に従い、第１の表示素子５０６では赤色、第２の表示素子５１２では緑色、第３の表示素子５１８では青色の光が反射され、透明導電膜５０５、５１１、５１７側から見るとそれぞれの色に見える。また、第２図（ｂ）に示すように、導電膜５０１、５０７、５１３と透明導電膜５０５、５１１、５１７との間の電圧を屈折率が可変で透明な膜５０３、５０９、５１５の屈折率がｎ２となるようにすれば、第１〜第３表示素子５０８、５１２、５１８は可視光の波長領域の大部分の光を透過し、透過した光は全ての黒色の導電膜５０１、５０７、５１３に吸収される。このため、透明導電膜５０５、５１１、５１７側から見ると黒色に見える。
　したがって、本実施例により、導電膜５０１と透明導電膜５０５との間、導電膜５０７と透明導電膜５１１との間および導電膜５１３と透明導電膜５１７との間に加えるそれぞれの電圧を各画素毎に連続的に制御することにより、種々の色が加法混色の原理〔例えば応用光学ハンドブック（吉永弘編、朝倉書店）〕に従い実現できることは明らかである。なお、ここではｎ２≦ｎ３の場合を例として示したが、ｎ３≦ｎ１の場合でも同様な表示動作が可能なことは明らかである。さらに、ｎ１＜ｎ３＜ｎ２の場合であってもｎ３の値がｎ１あるいはｎ２の値に十分近ければ、やはり同様な表示動作が可能なことは明らかである。
（実施例２：装置）
　第３図は本発明による反射型カラー表示装置の一実施例を示す概略図である。本表示装置は、黒色の膜６１９（例えばＩＴＯ膜の裏面に黒色の顔料や染料を形成した膜、表面を荒した金属膜あるいは炭素膜）上に第３の表示素子６１８を配し、第３の表示素子６１８の上に第２の表示素子６１２を配し、第２の表示素子６１２の上に第１の表示素子６０６を配してある。第１の表示素子６０６は、透明導電膜６０１（例えばＩＴＯ膜）上に屈折率ｎ３の透明な膜６０２（例えばＳｉＯ２膜）を配し、透明な膜６０２上に屈折率が電界によってｎ１からｎ２（ｎ１＜ｎ２、ｎ２≦ｎ３）まで可変な透明な膜６０３（例えば液晶）を配し、透明な膜６０３上に屈折率ｎ３の透明な膜６０４（例えばＳｉＯ２膜）を配し、透明な膜６０４上に透明導電膜６０５（例えばＩＴＯ膜）を配している。第１の表示素子６０６における透明な膜６０２、透明な膜６０３、透明な膜６０４の膜厚は、屈折率が可変で透明な膜６０３の屈折率がｎ１の場合に赤色を反射するような干渉フィルターの条件に応じて定められている〔参照：光学薄膜（藤原史郎編、共立出版、１９８６年）〕。第２の表示素子６１２は、透明導電膜６０７（例えばＩＴＯ膜）上に屈折率ｎ３の透明な膜６０８（例えばＳｉＯ２膜）を配し、透明な膜６０８上に屈折率が電界によってｎ１からｎ２（ｎ１＜ｎ２、ｎ２≦ｎ３）まで可変な透明な膜６０９（例えば液晶）を配し、屈折率が可変で透明な膜６０９上に屈折率ｎ３の透明な膜６１０（例えばＳｉＯ２膜）を配し、透明な膜６１０上に透明導電膜６１１（例えばＩＴＯ膜）を配している。第２の表示素子６１２における透明な膜６０８、屈折率が可変で透明な膜６０９、透明な膜６１０の膜厚は、屈折率が可変で透明な膜６０９の屈折率がｎ１の場合に緑色を反射するような干渉フィルターの条件に応じて定められている〔参照：光学薄膜（藤原史郎編、共立出版、１９８６年）〕。第３の表示素子６１８は、透明導電膜６１３（例えばＩＴＯ膜）上に屈折率ｎ３の透明な膜６１４（例えばＳｉＯ２膜）を配し、透明な膜６１４上に屈折率が電界によってｎ１からｎ２（ｎ１＜ｎ２、ｎ２≦ｎ３）まで可変な透明な膜６１５（例えば液晶）を配し、屈折率が可変で透明な膜６１５上に屈折率ｎ３の透明な膜６１６（例えばＳｉＯ２膜）を配置し、透明な膜６１６上に透明導電膜６１７（例えばＩＴＯ膜）を配している。第３の表示素子６１８における透明な膜６１４、屈折率が可変で透明な膜６１５、透明な膜６１６の膜厚は、屈折率が可変で透明な膜６１５の屈折率がｎｌの場合に青色を反射するような干渉フィルターの条件に応じて定められている〔参照：光学薄膜（藤原史郎編、共立出版、１９８６年）〕。
　この反射型カラー表示装置においては、第３図（ａ）に示すように、透明導電膜６０１、６０７、６１３と透明導電膜６０５、６１１、６１７との間の電圧を屈折率が可変で透明な膜６０３、６０９、６１５の屈折率がｎ１となるようにすれば、よく知られた干渉フィルターの原理に従い、第１の表示素子６０６では赤色、第２の表示素子６１２では緑色、第３の表示素子６１８では青色の光を反射するため、透明導電膜６０５側からみると加法混色の原理に従い、白色に見える。また、第３図（ｂ）に示すように、透明導電膜６０７と透明導電膜６１１との間の電圧を屈折率が可変で透明な膜６０９の屈折率がｎ１となるようにし、かつ透明導電膜６０１、６１３と透明導電膜６０５、６１７との間の電圧を屈折率が可変で透明な膜６０３、６１５の屈折率がｎ２となるようにすれば、第２の表示素子６１２ではよく知られた干渉フィルターの原理に従い緑色の光を反射し、第１の表示素子６０６および第３の表示素子６１８では大部分の光は透過するため、透明導電膜６０５側からみると緑色に見える。ここで、透明導電膜６０１と透明導電膜６０５との間の電圧を屈折率が可変で透明な膜６０３の屈折率がｎ１となるようにし、かつ透明導電膜６０７、６１３と透明導電膜６１１、６１７との間の電圧を屈折率が可変で透明な膜６０９、６１５の屈折率がｎ２となるようにした場合、あるいは透明導電膜６１３と透明導電膜６１７との間の電圧を屈折率が可変で透明な膜６１５の屈折率がｎ１となるようにし、かつ透明導電膜６０１、６０７と透明導電膜６０５、６１１との間の電圧を屈折率が可変で透明な膜６０３、６０９の屈折率がｎ２となるようにした場合においても、第３図（ｂ）と同様な動作をし、それぞれ赤色あるいは青色が発現することは明らかである。さらに、第３図（ｃ）に示すように、透明導電膜６０１、６０７、６１３と透明導電膜６０５、６１１、６１７との間の電圧を屈折率が可変で透明な膜６０３、６０９、６１５の屈折率がｎ２となるようにすれば、第１〜第３表示素子６０６、６１２、６１８は可視光の波長領域の大部分の光を透過し、透過した光は全て黒色の膜６１９に吸収される。このため、透明導電膜６０４側から見ると黒色に見える。
　したがって、本実施例により、導電膜６０１と透明導電膜６０５との間、導電膜６０７と透明導電膜６１１との間および導電膜６１３と透明導電膜６１７との間に加えるそれぞれの電圧を各画素毎に連続的に制御することにより、種々の色が加法混色の原理〔例えば応用光学ハンドブック（吉永弘編、朝倉書店）〕に従い実現できることは明らかである。
　さらに、本実施例では、三原色を表示する装置を縦に積層するため、一画素を一つのドットで表現でき、実施例１に比べて、光の利用効率が三倍となるため、高輝度化が達成できる。なお、ここでは、ｎ２≦ｎ３の場合を例として示したが、ｎ３≦ｎ１の場合でも同様な表示動作が可能なことは明らかである。さらに、ｎ１＜ｎ３＜ｎ２の場合であってもｎ３の値がｎ１あるいはｎ２の値に十分近ければ、やはり同様な表示動作が可能なことは明らかである。
（実施例３：装置）
　第３図に示した実施例２において、その動作を損なわずに、透明導電膜６０１と透明導電膜６１１とを一つの膜で共用させること、あるいは透明導電膜６０７と透明導電膜６１７とを一つの膜で共用させることができることは明らかである。第４図にその一例として透明導電膜７０１の膜で共用させた場合を示す。本表示装置は黒色の膜７１９（例えばＩＴＯ膜の裏面に黒色の顔料や染料を形成した膜、表面を荒した金属膜あるいは炭素膜）上に第３の表示素子７１８を配し、第３の表示素子７１８の上に第２の表示素子７１２を配し、第２の表示素子７１２の上に第１の表示素子７０６を配してある。第１の表示素子７０６は、透明導電膜７０１（例えばＩＴＯ膜）上に屈折率ｎ３の透明な膜７０２（例えばＳｉＯ２膜）を配し、透明な膜７０２上に屈折率が電界によってｎ１からｎ２（ｎ１＜ｎ２、ｎ２≦ｎ３）まで可変な透明な膜７０３（例えば液晶）を配し、屈折率が可変で透明な膜７０３上に屈折率ｎ３の透明な膜７０４（例えばＳｉＯ２膜）を配し、透明な膜７０４上に透明導電膜７０５（例えばＩＴＯ膜）を配している。第１の表示素子７０６における透明な膜７０２、屈折率が可変で透明な膜７０３、透明な膜７０４の膜厚は、屈折率が可変で透明な膜７０３の屈折率がｎ１の場合に赤色を反射するような干渉フィルターの条件に応じて定められている〔参照：光学薄膜（藤原史郎編、共立出版、１９８６年）〕。第２の表示素子７１２は、透明導電膜７０７（例えばＩＴＯ膜）上に屈折率ｎ３の透明な膜７０８（例えばＳｉＯ２膜）を配し、透明な膜７０８上に屈折率が電界によってｎ１からｎ２（ｎ１＜ｎ２、ｎ２≦ｎ３）まで可変な透明な膜７０９（例えば液晶）を配し、屈折率が可変で透明な膜７０９上に屈折率ｎ３の透明な膜７１０（例えばＳｉＯ２膜）を配している。第２の表示素子７１２における透明な膜７０８、屈折率が可変で透明な膜７０９、透明な膜７１０の膜厚は、屈折率が可変で透明な膜７０９の屈折率がｎ１の場合に緑色を反射するような干渉フィルターの条件に応じて定められている〔参照：光学薄膜（藤原史郎編、共立出版、１９８６年）〕。第３の表示素子７１８は、透明導電膜７１３（例えばＩＴＯ膜）上に屈折率ｎ３の透明な膜７１４（例えばＳｉＯ２膜）を配し、透明な膜７１４上に屈折率が電界によってｎ１からｎ２（ｎ１＜ｎ２、ｎ２≦ｎ３）まで可変な透明な膜７１５（例えば液晶）を配し、屈折率が可変で透明な膜７１５上に屈折率ｎ３の透明な膜７１６（例えばＳｉＯ２膜）を配し、透明な膜７１６上に透明導電膜７１７（例えばＩＴＯ膜）を配している。第３の表示素子７１８における透明な膜７１４、屈折率が可変で透明な膜７１５、透明な膜７１６の膜厚は、屈折率が可変で透明な膜７１５の屈折率がｎ１の場合に青色を反射するような干渉フィルターの条件に応じて定められている〔参照：光学薄膜（藤原史郎編、共立出版、１９８６年）〕。この実施例に示した表示装置の動作が第３図に一例を示した表示装置の動作と同様であることは明らかである。また、ここでは、ｎ２≦ｎ３の場合を例として示したが、ｎ３≦ｎ１の場合でも同様な表示動作が可能なことは明らかである。さらに、ｎ１＜ｎ３＜ｎ２の場合であってもｎ３の値がｎ１あるいはｎ２の値に十分近ければ、やはり同様な表示動作が可能なことは明らかである。
（実施例４：製造方法）
　実施例１〜３で示した表示装置における干渉フィルターに用いられる多層膜の膜厚は、光の波長より薄い方が特定の波長領域における反射率を大きくできる。しかしながら、液状の液晶を用いて通常の方法によりこのような薄い膜を形成することは困難である。一方、高分子強誘電性液晶は、スピンコートとその後の硬化工程（例えば溶媒の蒸発あるいは紫外線照射等による重合の促進等）により形成でき、薄い膜の形成が比較的容易である。そこで、以下に高分子強誘電性液晶を用いた本発明の表示装置の製造方法を示す。
　第５図は本発明による反射型カラー表示装置の製造方法の一実施例を説明するための概略図である。まず、第５図（ａ）に示すように、基板８０６（例えばガラス基板やプラスチック基板）上に導電膜８０１（例えばＩＴＯ膜、ＩＴＯ膜の裏面に黒色の顔料や染料を形成した膜、表面を荒した金属膜あるいは炭素膜）のパタンを形成する。つぎに、第５図（ｂ）に示すように、導電膜８０１のパタンを有する基板８０６上に屈折率ｎ３の透明な膜８０２（例えばＳｉＯ２膜あるいは高分子膜）を形成し、透明な膜８０２のパタン上に屈折率が電界によってｎ１からｎ２（ｎ１≠ｎ２）まで可変で透明な高分子強誘電性液晶８０３を例えばスピンコートとその後の硬化工程により形成する。つぎに、高分子強誘電性液晶８０３の上に屈折率ｎ３の透明な膜８０４（例えばＳｉＯ２膜あるいは高分子膜）を形成する。この工程を繰り返すことにより、屈折率ｎ３の透明な膜と高分子強誘電性液晶との多層膜を形成できることは明らかである。つぎに、第５図（ｃ）に示すように、屈折率ｎ３の透明な膜８０２、８０４と高分子強誘電性液晶８０３との多層膜の上に透明導電膜８０５のパタンを形成する。このようにして、実施例１〜３で示した表示装置に必要される屈折率の可変な膜を含む多層膜からなる干渉フィルターを製造できる。
（実施例５：製造方法）
　実施例１〜３で示した表示装置における干渉フィルターに用いられる多層膜の膜厚は、光の波長より薄い方が特定の波長領域における反射率を大きくできる。しかしながら、液状の液晶を用いてこのような薄い液晶層を形成することは、通常の液晶組立・注入工程では困難である。そこで、以下に液状の液晶を用いて本発明の表示装置を製造する方法を示す。
　第６図は本発明による反射型カラー表示装置の製造方法の一実施例を説明するための概略図である。まず、第６図（ａ）に示すように、基板９０８（例えばガラス基板やプラスチック基板）上に導電膜９０１（例えばＩＴＯ膜、ＩＴＯ膜の裏面に黒色の顔料や染料を形成した膜、表面を荒した金属膜あるいは炭素膜）のパタンを形成する。つぎに、第６図（ｂ）に示すように、導電膜９０１のパタンを有する基板９０８上に屈折率ｎ３の透明な膜９０２（例えばＳｉＯ２膜）のパタンを形成し、透明な膜９０２のパタン上にスペーサ膜９０６（例えばＭｏ膜、Ｓｉ膜あるいは高分子膜）を形成し、スペーサ膜９０６上に屈折率ｎ３の透明な膜９０４（例えばＳｉＯ２膜）のパタンを形成する。つぎに、第６図（ｃ）に示すように、透明な膜９０４上に透明導電膜９０５のパタンを形成した後、これら基板９０８、導電膜９０１、透明な膜９０２、透明な膜９０４および透明導電膜９０５を残してスペーサ膜９０６がエッチングできる方法（例えば過酸化水素水（Ｍｏ膜の場合）、弗硝酸（Ｓｉ膜の場合）あるいはアセトン（高分子膜の場合）によるエッチング方法）を用いて、スペーサ膜９０６をオーバエッチングする。つぎに、第６図（ｄ）に示すように、上記導電膜９０１、透明な膜９０２、透明な膜９０４、透明導電膜９０５およびスペーサ膜９０６を有する基板９０８を、屈折率が電界によってｎ１からｎ２（ｎ１≠ｎ２）まで可変で透明な物質（例えば液晶を含む液）中に浸すとともに、透明基板９０９（例えばガラス基板あるいはプラスチック基板）で屈折率が可能で透明な物質を封止し、上記透明な膜９０２と透明な膜９０４とスペーサ膜９０６とで囲まれる領域に屈折率が電界によって可変で透明な膜９０３を形成する。このようにして、実施例１〜３で示した表示装置に必要される屈折率の可変な膜を含む多層膜からなる干渉フィルターを形成できる。
（実施例６：製造方法）
　つぎに、液状の液晶を用いて本発明の表示装置を製造する他の方法を示す。
　第７図は本発明による反射型カラー表示装置の製造方法の一実施例を説明するための概略図である。まず、第７図（ａ）に示すように、基板１００８（例えばガラス基板やプラスチック基板）上に導電膜１００１（例えばＩＴＯ膜、ＩＴ○膜の裏面に黒色の顔料や染料を形成した膜、表面を荒した金属膜あるいは炭素膜）のパタンを形成する。つぎに、第７図（ｂ）に示すように、導電膜１００１のパタンを有する基板１００８上にリフトオフ膜１０１０（例えばＭｏ膜、Ｓｉ膜あるいは高分子膜）のパタンを次に形成する多層膜全体の厚さよりも十分厚く形成し、これらの膜の上に屈折率ｎ３の透明な膜１００２（例えばＳｉＯ２膜）、スペーサ膜１００６（例えばＭｏ膜、Ｓｉ膜あるいは高分子膜）、屈折率ｎ３の透明な膜１００４（例えばＳｉＯ２膜）のパタンを順次形成する。つぎに、第７図（ｃ）に示すように、透明な膜１００４上に透明導電膜１００５のパタンを形成した後、これら基板１００８、導電膜１００１、透明な膜１００２、透明な膜１００４および透明導電膜１００５を残してリフトオフ膜１０１０がエッチングできる方法（例えば過酸化水素水（Ｍｏ場合）、弗硝酸（Ｓｉ膜の場合）あるいはアセトン（高分子膜の場合）によりエッチング方法）を用いて、リフトオフ膜１０１０をエッチング除去し、かつリフトオフ膜１０１０上に形成された膜をリフトオフする。つぎに、第７図（ｄ）に示すように、基板１００８、導電膜１００１、透明な膜１００２、透明な膜１００４および透明導電膜１００５を残してスペーサ膜１００６がエッチングできる方法（例えば過酸化水素水（Ｍｏ場合）、弗硝酸（Ｓｉ膜の場合）あるいはアセトン（高分子膜の場合）によるエッチング方法）を用いて、スペーサ膜１００６をオーバーエッチングする。つぎに、第７図（ｅ）に示すように、上記導電膜１００１と透明な膜１００２と透明な膜１００４と透明導電膜１００５とスペーサ膜１００６とを有する基板１００８を、屈折率が電界によってｎ１からｎ２（ｎ１≠ｎ２）まで可変で透明な物質１００７（例えば液晶）を含む液中に浸すとともに、透明基板１００９（例えばガラス基板あるいはプラスチック基板）で上記屈折率が可変で透明な物質１００７を封止し、上記透明な膜１００２と透明な膜１００４とスペーサ膜１００６とで囲まれる領域に屈折率が電界によって可変で透明な膜１００３を形成する。このようにして、実施例工〜３で示した表示装置に必要される屈折率の可変な膜を含む多層膜からなる干渉フィルターを形成できる。なお、リフトオフ膜１０１０とスペーサ膜１００６とを同一材料とすることにより、第７図（ｃ）で示した工程と第７図（ｄ）で示した工程とを同時に行なうことができることは明らかである。
　なお、実施例１〜５では、干渉フィルターとして三層膜を例として本発明による表示装置を説明したが、波長選択性および反射波長帯域幅等を表示装置に適合したものにするために、他の膜を加えたりあるいはさらに多層構造にしても良いことは明らかである。
　さらに、第２図〜第４図に実施例を示した反射型カラー表示装置において、これらの導電膜５０１等、６０１等、７０１等を画素電極とし、かつ例えば薄膜トランジスタをアクティブ素子とするアクティブマトリックスを配して各画素を駆動することにより、各画素を独立に制御できるため、同装置のコントラスト比が高くでき、かつクロストークなどを阻止できる。
〔発明の効果〕
　以上説明したように、本発明に係る表示装置においては、バックライトを用いないから、軽薄化、携帯化が容易であり、また偏光板が不要でかつ光の利用効率が高いから、高輝度な表示装置を実現できる。
　また、屈折率の異なる複数の膜を積層した多層膜であって、かつ少なくともその中の一つの膜が屈折率の可変な膜である干渉フィルターを用いた表示素子を黒あるいは灰色の膜上に複数設置し、上記各表示素子の干渉フィルターの反射率が高い色を赤色、緑色、青色とし、上記屈折率の可変な膜の屈折率の可変範囲がｎ１からｎ２（ｎ１〈ｎ２）までの場合に、上記屈折率の可変な膜と接して積層する膜の屈折率ｎ３との関係をｎ３≦ｎ１あるいはｎ２≦ｎ３とし、または屈折率の異なる複数の膜を積層した多層膜であって、かつ少なくともその中の一つの膜が屈折率の可変な膜である干渉フィルターを用いた表示素子を黒あるいは灰色の膜上に複数積層して設置し、上記各表示素子の干渉フィルターの反射率が高い色を赤色、緑色、青色とし、上記屈折率の可変な膜の屈折率の可変範囲がｎ１からｎ２（ｎ１＜ｎ２）までの場合に、上記屈折率の可変な膜と接して積層する膜の屈折率ｎ３との関係をｎ３≦ｎ１あるいはｎ２≦ｎ３とすれば・種々の色が加法混色の原理に従い実現できるから、高輝度な反射型カラー表示装置を実現できる。
　これらの場合、屈折率が可変な膜として液晶を用い、または屈折率が可変な膜として強誘電体を用いれば、より確実に特定の波長帯域の光の反射、透過を制御できるから、より高輝度な表示装置を実現できる。
　また、本発明に係る表示装置の製造方法においては、容易に高輝度な表示装置を製造することができるから、製造コストが安価になる。
　このように、この発明の結果は顕著である。
【図面の簡単な説明】
　第１図は本発明による反射型カラー表示装置のの表示素子の動作原理を示す概略図、第２図〜第４図は第１図に示した表示素子を用いた反射型カラー表示装置の実施例を示す概略図、第５図〜第７図は第２図〜第４図に示した本発明の表示装置の製造方法の実施例を説明するための概略図、第８図は従来の透過型表示装置の一例を示す図、第９図は従来の反射型表示装置の一例を示す図、第１０図は高分子分散型液晶を用いた従来の反射型表示装置の一例を示す図である。
　４０１…導電膜
　４０２…透明な膜
　４０３…屈折率が可変で透明な膜
　４０４…透明な膜
　４０５…透明導電膜
　５０１…導電膜
　５０２…透明な膜
　５０３…屈折率が可変で透明な膜
　５０４…透明な膜
　５０５…透明導電膜
　５０６…第１の表示素子
　５０７…導電膜
　５０８…透明な膜
　５０９…屈折率が可変で透明な膜
　５１０…透明な膜
　５１１…透明導電膜
　５１２…第２の表示素子
　５１３…導電膜
　５１４…透明な膜
　５１５…屈折率が可変で透明な膜
　５１６…透明な膜
　５１７…透明導電膜
　５１８…第３の表示素子
　５１９…絶縁基板
　６０１…透明導電膜
　６０２…透明な膜
　６０３…屈折率が可変で透明な膜
　６０４…透明な膜
　６０５…透明導電膜
　６０６…第１の表示素子
　６０７…透明導電膜
　６０８…透明な膜
　６０９…屈折率が可変で透明な膜
　６１０…透明な膜
　６１１…透明導電膜
　６１２…第２の表示素子
　６１３…透明導電膜
　６１４…透明な膜
　６１５…屈折率が可変で透明な膜
　６１６…透明な膜
　６１７…透明導電膜
　６１８…第３の表示素子
　６１９…黒色の膜
　７０１…透明導電膜
　７０２…透明な膜
　７０３…屈折率が可変で透明な膜
　７０４…透明な膜
　７０５…透明導電膜
　７０６…第１の表示素子
　７０７…透明導電膜
　７０８…透明な膜
　７０９…屈折率が可変で透明な膜
　７１０…透明な膜
　７１２…第２の表示素子
　７１３…透明導電膜
　７１４…透明な膜
　７１５…屈折率が可変で透明な膜
　７１６…透明な膜
　７１７…透明導電膜
　７１８…第３の表示素子
　７１９…黒色の膜
　８０１…導電膜
　８０２…透明な膜
　８０３…屈折率が可変で透明な膜
　８０４…透明な膜
　８０５…透明導電膜
　８０６…基板
　９０１…導電膜
　９０２…透明な膜
　９０３…屈折率が可変で透明な膜
　９０４…透明な膜
　９０５…透明導電膜
　９０６…スペーサ膜
　９０８…基板
　９０９…透明基板
１００１…導電膜
１００２…透明な膜
１００３…屈折率が可変で透明な膜
１００４…透明な膜
１００５…透明導電膜
１００６…スペーサ膜
１００８…基板
１００９…透明基板
１０１０…リフトオフ膜